【手続補正書】
【提出日】平成15年8月18日(2003.8.18)
【手続補正１】
【補正対象書類名】明細書
【補正対象項目名】特許請求の範囲
【補正方法】変更
【補正の内容】
【特許請求の範囲】
【請求項１】
人が視覚的または聴覚的に認識できる一連の情報であるコンテンツの視聴履歴から、当該コンテンツに対する視聴者の嗜好度を算出する方法であって、
嗜好度Ｐｒとして、当該コンテンツの視聴時間Ｄｗの単位時間Ｌｕに対する比率Ｒｕ（＝Ｄｗ／Ｌｕ）の関数値を算出するコンテンツ嗜好度算出方法。
【請求項２】
人が視覚的または聴覚的に認識できる一連の情報であるコンテンツの視聴履歴から、当該コンテンツに対する視聴者の嗜好度を算出する方法であって、
嗜好度Ｐｒとして、当該コンテンツの視聴時間Ｄｗの当該コンテンツの時間長Ｌｃに対する比率Ｒｃ（＝Ｄｗ／Ｌｃ）の関数値を算出するコンテンツ嗜好度算出方法。
【請求項３】
人が視覚的または聴覚的に認識できる一連の情報であるコンテンツの視聴履歴から、当該コンテンツに対する視聴者の嗜好度を算出する方法であって、
嗜好度Ｐｒとして、当該コンテンツの視聴時間Ｄｗの単位時間Ｌｕに対する比率Ｒｕ（＝Ｄｗ／Ｌｕ）、および当該コンテンツの視聴時間Ｄｗの当該コンテンツの時間長Ｌｃに対する比率Ｒｃ（＝Ｄｗ／Ｌｃ）の関数であって、かつ、比率Ｒｕが大きいほど嗜好度Ｐｒが大きくなり、比率Ｒｃが大きいほど嗜好度Ｐｒが大きくなる関数値を算出するコンテンツ嗜好度算出方法。
【請求項４】
請求項１〜３のいずれかのコンテンツ嗜好度算出方法によって算出した嗜好度Ｐｒを、記憶装置部に記録されている当該コンテンツに対する嗜好度Ｐｏに、ある比率で加算し、その加算後の嗜好度Ｐｎを、更新後の当該コンテンツに対する嗜好度として前記記憶装置部に記録するコンテンツ嗜好度更新方法。
【請求項５】
コンテンツ視聴として、放送番組の実放送が視聴される場合であって、
請求項１〜３のいずれかのコンテンツ嗜好度算出方法によって、当該番組に対する嗜好度Ｐｒを算出する工程と、
当該番組の放送時間内で他の番組も視聴されたか否かを判断し、他の番組も視聴された場合には、その視聴された他の番組に対する嗜好度も算出して、他の番組も視聴された場合であって、かつ他の番組に対する嗜好度が所定値以上であるときには、当該番組に対する嗜好度Ｐｒの確か度Ｔｘとして相対的に低い値を選択し、他の番組が視聴されなかったとき、または他の番組に対する嗜好度が所定値未満であるときには、当該番組に対する嗜好度Ｐｒの確か度Ｔｘとして相対的に高い値を選択する工程と、
前記算出した当該番組に対する嗜好度Ｐｒを、記憶装置部に記録されている当該番組に対する嗜好度Ｐｏに、前記選択した確か度Ｔｘが高いほど嗜好度Ｐｒの比率が高くなるように加算し、その加算後の嗜好度Ｐｎを、更新後の当該番組に対する嗜好度として前記記憶装置部に記録する工程と、
を備えるコンテンツ嗜好度更新方法。
【請求項６】
コンテンツ視聴として、記録媒体に記録されている放送番組を再生する場合であって、
請求項１〜３のいずれかのコンテンツ嗜好度算出方法によって、曜日別および時間帯別の嗜好度Ｐｒｔを算出する工程と、
その嗜好度Ｐｒｔが所定値未満であるか否か、および前記記録媒体上の当該番組が記録されている位置にアクセスした履歴があるか否かを判断して、嗜好度Ｐｒｔが所定値以上であるときには、嗜好度Ｐｒｔの確か度Ｔｘｔとして相対的に高い値を選択し、嗜好度Ｐｒｔが所定値未満であって、かつ前記記録媒体上の当該番組が記録されている位置にアクセスした履歴がないときには、嗜好度Ｐｒｔの確か度Ｔｘｔとして相対的に低い値を選択し、嗜好度Ｐｒｔが所定値未満であって、かつ前記記録媒体上の当該番組が記録されている位置にアクセスした履歴があるときには、嗜好度Ｐｒｔを減少させるとともに、その確か度Ｔｘｔとして相対的に高い値を選択する工程と、
曜日別および時間帯別に、前記算出した嗜好度Ｐｒｔを、記憶装置部に記録されている曜日別および時間帯別の嗜好度Ｐｏｔに、前記選択した確か度Ｔｘｔが高いほど嗜好度Ｐｒｔの比率が高くなるように加算し、その加算後の曜日別および時間帯別の嗜好度Ｐｎｔの総和を、更新後の当該番組に対する嗜好度Ｐｎとして前記記憶装置部に記録する工程と、
を備えるコンテンツ嗜好度更新方法。
【請求項７】
請求項４〜６のいずれかのコンテンツ嗜好度更新方法によって前記記憶装置部に記録されている嗜好度が所定値以上のコンテンツを、制御部の制御によって提示するコンテンツ提示方法。
【請求項８】
請求項４〜６のいずれかのコンテンツ嗜好度更新方法によって前記記憶装置部に記録されている嗜好度が所定値以上のコンテンツを、制御部の制御によって受信するコンテンツ受信方法。
【請求項９】
請求項４〜６のいずれかのコンテンツ嗜好度更新方法によって前記記憶装置部に記録されている嗜好度が所定値以上のコンテンツを、制御部の制御によって受信して記録媒体上に記録するコンテンツ受信記録方法。
【請求項１０】
人が視覚的または聴覚的に認識できる一連の情報であるコンテンツを受信する受信部と、
この受信部で受信されたコンテンツの視聴履歴から、当該コンテンツに対する視聴者の嗜好度を算出する嗜好度算出部と、
コンテンツ識別情報およびこのコンテンツ識別情報によって識別されるコンテンツに対する嗜好度を含むデータが記録される記憶装置部と、
前記嗜好度算出部で算出された嗜好度Ｐｒを、前記記憶装置部に記録されている当該コンテンツに対する嗜好度Ｐｏに、ある比率で加算し、その加算後の嗜好度Ｐｎを、更新後の当該コンテンツに対する嗜好度として前記記憶装置部に記録する嗜好度更新部とを備え、
前記嗜好度算出部が、嗜好度Ｐｒとして、当該コンテンツの視聴時間Ｄｗの単位時間Ｌｕに対する比率Ｒｕ（＝Ｄｗ／Ｌｕ）の関数値を算出するコンテンツ受信装置。
【請求項１１】
人が視覚的または聴覚的に認識できる一連の情報であるコンテンツを受信する受信部と、
この受信部で受信されたコンテンツの視聴履歴から、当該コンテンツに対する視聴者の嗜好度を算出する嗜好度算出部と、
コンテンツ識別情報およびこのコンテンツ識別情報によって識別されるコンテンツに対する嗜好度を含むデータが記録される記憶装置部と、
前記嗜好度算出部で算出された嗜好度Ｐｒを、前記記憶装置部に記録されている当該コンテンツに対する嗜好度Ｐｏに、ある比率で加算し、その加算後の嗜好度Ｐｎを、更新後の当該コンテンツに対する嗜好度として前記記憶装置部に記録する嗜好度更新部とを備え、
前記嗜好度算出部が、嗜好度Ｐｒとして、当該コンテンツの視聴時間Ｄｗの当該コンテンツの時間長Ｌｃに対する比率Ｒｃ（＝Ｄｗ／Ｌｃ）の関数値を算出するコンテンツ受信装置。
【請求項１２】
人が視覚的または聴覚的に認識できる一連の情報であるコンテンツを受信する受信部と、
この受信部で受信されたコンテンツの視聴履歴から、当該コンテンツに対する視聴者の嗜好度を算出する嗜好度算出部と、
コンテンツ識別情報およびこのコンテンツ識別情報によって識別されるコンテンツに対する嗜好度を含むデータが記録される記憶装置部と、
前記嗜好度算出部で算出された嗜好度Ｐｒを、前記記憶装置部に記録されている当該コンテンツに対する嗜好度Ｐｏに、ある比率で加算し、その加算後の嗜好度Ｐｎを、更新後の当該コンテンツに対する嗜好度として前記記憶装置部に記録する嗜好度更新部とを備え、
前記嗜好度算出部が、嗜好度Ｐｒとして、当該コンテンツの視聴時間Ｄｗの単位時間Ｌｕに対する比率Ｒｕ（＝Ｄｗ／Ｌｕ）、および当該コンテンツの視聴時間Ｄｗの当該コンテンツの時間長Ｌｃに対する比率Ｒｃ（＝Ｄｗ／Ｌｃ）の関数であって、かつ、比率Ｒｕが大きいほど嗜好度Ｐｒが大きくなり、比率Ｒｃが大きいほど嗜好度Ｐｒが大きくなる関数値を算出するコンテンツ受信装置。
【請求項１３】
請求項１０〜１２のいずれかのコンテンツ受信装置において、
前記嗜好度算出部は、コンテンツ視聴として、放送番組の実放送が視聴される場合には、当該番組の放送時間内で他の番組も視聴された場合であって、かつその視聴された他の番組に対する嗜好度が所定値以上であるときには、算出した当該番組に対する嗜好度Ｐｒの確か度Ｔｘとして相対的に低い値を選択し、当該番組の放送時間内で他の番組が視聴されなかったとき、または他の番組に対する嗜好度が所定値未満であるときには、算出した当該番組に対する嗜好度Ｐｒの確か度Ｔｘとして相対的に高い値を選択し、
前記嗜好度更新部は、前記嗜好度算出部で算出された当該番組に対する嗜好度Ｐｒを、前記記憶装置部に記録されている当該番組に対する嗜好度Ｐｏに、前記嗜好度算出部で選択された確か度Ｔｘが高いほど嗜好度Ｐｒの比率が高くなるように加算し、その加算後の嗜好度Ｐｎを、更新後の当該番組に対する嗜好度として前記記憶装置部に記録するコンテンツ受信装置。
【請求項１４】
請求項１０〜１３のいずれかのコンテンツ受信装置において、
前記記憶装置部に記録されている嗜好度が所定値以上のコンテンツを、前記受信部によって受信する制御部を備えるコンテンツ受信装置。
【請求項１５】
人が視覚的または聴覚的に認識できる一連の情報であるコンテンツを受信する受信部と、
この受信部で受信されたコンテンツを記録媒体に記録し、記録媒体から再生する記録再生部と、
前記受信部で受信されたコンテンツの視聴履歴、または前記記録媒体から再生されたコンテンツの視聴履歴から、当該コンテンツに対する視聴者の嗜好度を算出する嗜好度算出部と、
コンテンツ識別情報およびこのコンテンツ識別情報によって識別されるコンテンツに対する嗜好度を含むデータが記録される記憶装置部と、
前記嗜好度算出部で算出された嗜好度Ｐｒを、前記記憶装置部に記録されている当該コンテンツに対する嗜好度Ｐｏに、ある比率で加算し、その加算後の嗜好度Ｐｎを、更新後の当該コンテンツに対する嗜好度として前記記憶装置部に記録する嗜好度更新部とを備え、
前記嗜好度算出部が、嗜好度Ｐｒとして、当該コンテンツの視聴時間Ｄｗの単位時間Ｌｕに対する比率Ｒｕ（＝Ｄｗ／Ｌｕ）の関数値を算出するコンテンツ受信記録再生装置。
【請求項１６】
人が視覚的または聴覚的に認識できる一連の情報であるコンテンツを受信する受信部と、
この受信部で受信されたコンテンツを記録媒体に記録し、記録媒体から再生する記録再生部と、
前記受信部で受信されたコンテンツの視聴履歴、または前記記録媒体から再生されたコンテンツの視聴履歴から、当該コンテンツに対する視聴者の嗜好度を算出する嗜好度算出部と、
コンテンツ識別情報およびこのコンテンツ識別情報によって識別されるコンテンツに対する嗜好度を含むデータが記録される記憶装置部と、
前記嗜好度算出部で算出された嗜好度Ｐｒを、前記記憶装置部に記録されている当該コンテンツに対する嗜好度Ｐｏに、ある比率で加算し、その加算後の嗜好度Ｐｎを、更新後の当該コンテンツに対する嗜好度として前記記憶装置部に記録する嗜好度更新部とを備え、
前記嗜好度算出部が、嗜好度Ｐｒとして、当該コンテンツの視聴時間Ｄｗの当該コンテンツの時間長Ｌｃに対する比率Ｒｃ（＝Ｄｗ／Ｌｃ）の関数値を算出するコンテンツ受信記録再生装置。
【請求項１７】
人が視覚的または聴覚的に認識できる一連の情報であるコンテンツを受信する受信部と、
この受信部で受信されたコンテンツを記録媒体に記録し、記録媒体から再生する記録再生部と、
前記受信部で受信されたコンテンツの視聴履歴、または前記記録媒体から再生されたコンテンツの視聴履歴から、当該コンテンツに対する視聴者の嗜好度を算出する嗜好度算出部と、
コンテンツ識別情報およびこのコンテンツ識別情報によって識別されるコンテンツに対する嗜好度を含むデータが記録される記憶装置部と、
前記嗜好度算出部で算出された嗜好度Ｐｒを、前記記憶装置部に記録されている当該コンテンツに対する嗜好度Ｐｏに、ある比率で加算し、その加算後の嗜好度Ｐｎを、更新後の当該コンテンツに対する嗜好度として前記記憶装置部に記録する嗜好度更新部とを備え、
前記嗜好度算出部が、嗜好度Ｐｒとして、当該コンテンツの視聴時間Ｄｗの単位時間Ｌｕに対する比率Ｒｕ（＝Ｄｗ／Ｌｕ）、および当該コンテンツの視聴時間Ｄｗの当該コンテンツの時間長Ｌｃに対する比率Ｒｃ（＝Ｄｗ／Ｌｃ）の関数であって、かつ、比率Ｒｕが大きいほど嗜好度Ｐｒが大きくなり、比率Ｒｃが大きいほど嗜好度Ｐｒが大きくなる関数値を算出するコンテンツ受信記録再生装置。
【請求項１８】
請求項１５〜１７のいずれかのコンテンツ受信記録再生装置において、
前記嗜好度算出部は、コンテンツ視聴として、記録媒体に記録されている放送番組を再生する場合には、曜日別および時間帯別の嗜好度Ｐｒｔを算出するとともに、その嗜好度Ｐｒｔが所定値以上であるときには、嗜好度Ｐｒｔの確か度Ｔｘｔとして相対的に高い値を選択し、嗜好度Ｐｒｔが所定値未満であって、かつ前記記録媒体上の当該番組が記録されている位置にアクセスした履歴がないときには、嗜好度Ｐｒｔの確か度Ｔｘｔとして相対的に低い値を選択し、嗜好度Ｐｒｔが所定値未満であって、かつ前記記録媒体上の当該番組が記録されている位置にアクセスした履歴があるときには、嗜好度Ｐｒｔを減少させるとともに、その確か度Ｔｘｔとして相対的に高い値を選択し、
前記嗜好度更新部は、曜日別および時間帯別に、前記嗜好度算出部で算出された嗜好度Ｐｒｔを、前記記憶装置部に記録されている曜日別および時間帯別の嗜好度Ｐｏｔに、前記嗜好度算出部で選択された確か度Ｔｘｔが高いほど嗜好度Ｐｒｔの比率が高くなるように加算し、その加算後の曜日別および時間帯別の嗜好度Ｐｎｔの総和を、更新後の当該番組に対する嗜好度Ｐｎとして前記記憶装置部に記録するコンテンツ受信記録再生装置。
【請求項１９】
請求項１５〜１８のいずれかのコンテンツ受信記録再生装置において、
前記記憶装置部に記録されている嗜好度が所定値以上のコンテンツを、前記受信部によって受信して、前記記録再生部によって前記記録媒体上に記録する制御部を備えるコンテンツ受信記録再生装置。
【手続補正２】
【補正対象書類名】明細書
【補正対象項目名】００１３
【補正方法】変更
【補正の内容】
【００１３】
【課題を解決するための手段】
この発明のコンテンツ嗜好度算出方法は、
人が視覚的または聴覚的に認識できる一連の情報であるコンテンツの視聴履歴から、当該コンテンツに対する視聴者の嗜好度を算出する方法であって、
嗜好度Ｐｒとして、当該コンテンツの視聴時間Ｄｗの単位時間Ｌｕに対する比率Ｒｕ（＝Ｄｗ／Ｌｕ）の関数値、または当該コンテンツの視聴時間Ｄｗの当該コンテンツの時間長Ｌｃに対する比率Ｒｃ（＝Ｄｗ／Ｌｃ）の関数値を算出するものである。